(57)【特許請求の範囲】
【請求項１】
ウィンドガラスワイパを作動させるための装置であって、ウィンドガラスの湿り状態を検出するためのセンサ装置（１０）が設けられており、該センサ装置（１０）が、センサ信号を受信する評価装置（２０）を備えており、該評価装置（２０）が、信号処理装置（２１）と、払拭運転のための発動段（２２）と、制御信号発生装置（２４）とを有しており、さらにウィンドガラスワイパのための制御ユニット（３０）が設けられており、該制御ユニット（３０）が、払拭過程を形成するために前記評価装置（２０）によって制御可能である形式のものにおいて、評価装置（２０）が、ウィンドガラス上に存在する速乾性の湿分のための検知段（２３）を有しており、該検知段によって、センサ信号（Ｓ）から得られた、時間的に連続する測定値（ＭＷ）から、該測定値（ＭＷ）の、乾燥過程に基づき予め規定された方向で変化可能なレベル（ＳＰ）が検出可能であり、検知段（２３）が、目下の測定値（ＭＷｎ）と、先行する測定値（ＭＷｎ−１）との間の差分を検出するための差分形成器を有しており、さらに検知段（２３）が、±の符号を付与された連続する差分の総和を形成するための加算段を有しており、レベル（ＳＰ）の増大時に前記総和が、予め規定された閾値を上回っているかどうかを検出することにより、速乾性の湿分が検知可能であることを特徴とする、ウィンドガラスワイパを作動させるための装置。
【請求項２】
加算段が、総和レジスタによって形成されており、該総和レジスタが、加算時に上回られないか、または下回られない上限値と下限値とを有しており、閾値が両限界値内にあり、当該装置の始動時に総和の開始値が閾値の近くに設定されている、請求項１記載の装置。
【請求項３】
閾値がヒステリシスを有している、請求項２記載の装置。
【請求項４】
発動段（２２）が、差分発動器を有しており、該差分発動器が、速乾性の湿分のフェーズの検知時に不作動状態に切換可能である、請求項１から３までのいずれか１項記載の装置。
【発明の詳細な説明】
背景技術
本発明は、ウィンドガラスワイパを作動させるための装置であって、ウィンドガラスの湿り状態を検出するためのセンサ装置が設けられており、該センサ装置が、センサ信号を受信する評価装置を備えており、該評価装置が、信号処理装置と、払拭運転のための発動段
0003902654.tif 000002
と、制御信号発生装置とを有しており、さらにウィンドガラスワイパのための制御ユニットが設けられており、該制御ユニットが、払拭過程を形成するために前記評価装置によって制御可能である形式のものに関する。
このような形式の装置は、欧州特許第３６０８３２号明細書に基づき公知である。この公知の構成では、センサ信号に規定の発動判断基準が検知されると、適当な払拭運転が自動的に発動される。たとえば損傷したワイパブレードによって生ぜしめられる、ウィンドガラス上の迅速に乾燥する水縞模様、つまり速乾性の水縞模様の拭き残り（このときに払拭運転が行われると不都合である）は信頼性良く検知されない恐れがあるので、望ましくない払拭過程が生じてしまう。
発明の利点
本発明の課題は、冒頭で述べた形式の装置を改良して、不要な払拭過程が信頼性良く回避されるような装置を提供することである。
この課題は請求項１の特徴部に記載の構成により解決される。
すなわち本発明の構成では、評価装置が、ウィンドガラス上に存在する速乾性の湿分のための検知段を有しており、該検知段によって、センサ信号から得られた、時間的に連続する測定値から、該測定値の、乾燥過程に基づき増大するレベルが検出可能である。
このような手段を用いると、たとえば磨耗したウィンドガラスワイパによる縞模様の拭き残り形成時に生じるような、ウィンドガラス上の速乾性の湿分のフェーズ（Phase）が確実に検知されるので、このフェーズでは払拭過程を評価装置によって抑制することができる。これにより、不要な乾燥払拭は回避される。なぜならば、このような湿分の拭き残りは一般に迅速に自然乾燥するからである。
本発明による装置の単純で、信頼性良く作動する有利な構成では、検知段が、目下の測定値と、先行する測定値との間の差分を検出するための差分形成器（Differenzbildner）と、前符号を付与された連続する差分の総和を形成するための加算段とを有しており、前記総和が、予め規定された閾値を上回っているかどうかを検出することにより、速乾性の湿分が検出可能である。
この場合、本発明の有利な単純な構成では、加算段が、総和レジスタ（Summenregister）によって形成されており、該総和レジスタが、加算時に上回られないか、または下回られない上限値と下限値とを有しており、閾値がこれらの限界値内にあり、装置の始動時に閾値の近くにある総和が開始値として調節されている。
閾値がヒステリシスを有していると、閾値範囲を巡る変動を生ぜしめる妨害因子が確実に抑制される。
発動段が、差分発動器
0003902654.tif 000003
を有しており、該差分発動器が、速乾性の湿分のフェーズの検知時に不作動状態に切換可能であると、このようなフェーズにおける払拭運転は、発動閾値が上回られたにもかかわらず差分作動（Differenzbetrieb）において、つまり規定の基準値に対する信号レベルの差分が規定の量を上回った場合に、確実に回避される。
以下に、本発明の実施例を図面につき詳しく説明する。
第１図は、ウィンドガラスワイパを自動的に作動させるための装置のブロック回路図を示しており、
第２図は、乾燥フェーズ時におけるセンサ信号の経過を時間との関係で示す線図を示しており、
第３図は、第１図に示した評価装置の下位構成群を示すブロック回路図を示している。
第１図には、ウィンドガラスワイパを自動的に作動させるための装置が示されている。この装置はセンサ装置１０を備えており、このセンサ装置１０はセンサ信号Ｓを評価装置２０に伝送する。センサ信号Ｓは既に処理されていてよく、評価装置２０において引き続き処理され得る。これにより、制御信号ＳＴが制御ユニット３０に供給される。この制御ユニット３０を介してウィンドガラスワイパ（図示しない）が作動させられる。
センサ信号Ｓのレベルはウィンドガラスの湿り状態に応じて変化するので、このことから、外部条件に適合させられた適当な払拭運転が評価装置２０によって引出し可能である。たとえば降雨時または降雪時ではセンサ信号Ｓのレベルが基準値に比べて大きく減じられ、この場合、払拭運転を発動させる発動閾値が下回られる（もしくは基準値に対する差分が上回られる）。
払拭運転の経過中では、たとえば不良ワイパブレードに基づき湿分の拭き残りがウィンドガラス上に分配される恐れがある。このような拭き残りはセンサ信号Ｓの信号レベルＳＰを発動閾値よりも下に減少させる。しかし、このような拭き残り、たとえば縞模様の拭き残りは、比較的迅速に自然乾燥するので、このフェーズでの払拭運転は不適当であり、不要な乾燥払拭過程が行われてしまう。以下に説明する手段によって、このような速乾性の湿分のフェーズは確実に検知される。
第２図には、たとえば乾燥過程の間のセンサ信号Ｓと時間との関係が示されている。乾燥過程に基づき、信号レベルＳＰはかなり迅速に連続的に増大する。センサ信号からは評価装置２０によって測定値ＭＷ，ＭＷｎ−１が得られる。このためには評価装置２０が信号処理装置２１を有している。測定値ＭＷは発動段２２に供給される。この発動段２２はたとえば差分発動段を有しており、この差分発動段自体は制御信号ＳＴを発生させるための制御信号発生装置２４にデータを伝送する。測定値ＭＷはさらに検知段２３に供給される。この検知段２３によって速乾性の湿分のフェーズが検出可能である。このためには検知段２３が目下の測定値ＭＷｎと、先行する測定値ＭＷｎ−１との間の差分を検出するための差分形成器と、前符号を付与された連続した差分の総和を形成するための加算段とを有している。速乾性の湿分は、前記総和が規定の閾値を上回っているかどうかを比較によって検出することにより検知される。
加算段は総和レジスタによって形成されている。この総和レジスタは、加算時に上回られないか、または下回られない上限値と下限値とを有している。閾値は両限界値の間にあって、誤ったデータを生ぜしめるおそれのある妨害因子を抑制するためにヒステリシスを有している。
測定値は、たとえば５ｍｓ毎に検出され、対応する差分および総和は直接に形成されるので、極めて短い時間、たとえば２０ｍｓ内で、速乾性の湿分のフェーズが存在しているかどうかと、払拭運転の発動が抑制されるべきかどうかが検知される。このような乾燥フェーズが検知されると、差分発動器が不作動状態に切り換えられるので、払拭運転は差分発動
0003902654.tif 000004
に基づき確実に抑制される。
装置の始動時では、有利には閾値の近くにある所定の総和が規定される。ウィンドガラスが湿らされると、まずセンサ信号が減じられるので、発動閾値が下回られると、差分発動器によって払拭運転が発動される。湿らし過程が終了すると、不良ワイパブレードによって形成された縞模様の拭き残りが引き続き湿分状態を生ぜしめるおそれがある。この湿分状態によって、信号レベルＳＰは発動閾値よりも下にまで減じられる。乾燥過程に基づき、信号レベルは比較的連続的に増大するので、測定値ＭＷの差分の加算により、乾燥フェーズを検知するための閾値が比較的短い時間で上回られ、このフェーズで払拭運転は差分発動に基づき遮断される。
したがって、本発明による手段は不要な払拭過程を抑制することを可能にする。
【図１】
0003902654.tif 000005
【図２】
0003902654.tif 000006
【図３】
0003902654.tif 000007